(57)【要約】【課題】  商品の宛先を示す画像を用いて携帯情報端末から宛先を入力することで、宛先入力の利便性を向上させることができる宛先入力システム、携帯情報端末、サーバ、宛先入力方法及び宛先入力プログラムを提供する。【解決手段】  携帯情報端末１０が商品の宛先を示す画像を撮像してサーバ２０に送信し、サーバ２０がこの画像を受信して商品の宛先として印刷装置３２０に出力する。【選択図】  図３
2005134999.tif 000002
【特許請求の範囲】
【請求項１】
購入する商品の宛先を出力する携帯情報端末と、前記携帯情報端末から前記商品の宛先を入力するサーバとから構成される宛先入力システムにおいて、
前記携帯情報端末は、
前記商品の宛先を示す画像を撮像する撮像手段と、
前記撮像手段が撮像した画像を前記サーバに送信する送信手段と
を具備し、
前記サーバは、
前記携帯情報端末が送信した画像を受信する受信手段と、
前記受信手段が受信した画像を前記商品の宛先として印刷装置に出力する出力手段と
を具備する
ことを特徴とする宛先入力システム。
【請求項２】
購入する商品の宛先を示す画像を撮像する撮像手段と、
前記撮像手段が撮像した画像を表示する表示手段と、
前記表示手段が表示した画像を前記宛先として使用するか否かを確認する確認手段と、
前記確認手段が前記宛先として使用することを確認した画像を前記サーバに送信する送信手段と
を具備することを特徴とする携帯情報端末。
【請求項３】
購入する商品の宛先を示す画像を所定の携帯情報端末から受信する受信手段と、
前記受信手段が受信した画像が前記宛先を示すか否かを確認する宛先確認手段と、
前記宛先確認手段が前記宛先を示すことを確認した画像を前記商品の宛先として印刷装置に出力する出力手段と
を具備することを特徴とするサーバ。
【請求項４】
前記宛先確認手段は、
前記受信手段が受信した画像からテキスト情報を抽出するテキスト情報抽出手段と、
前記テキスト情報抽出手段が抽出したテキスト情報が前記宛先として登録されたテキスト情報を含むか否かを判定して、前記宛先を示すか否かを出力する宛先テキスト情報確認手段と
を具備することを特徴とする請求項３に記載のサーバ。
【請求項５】
購入する商品の宛先を出力する携帯情報端末と、前記携帯情報端末から前記商品の宛先を入力するサーバとから構成される宛先入力システムにおいて、
前記携帯情報端末が、前記商品の宛先を示す画像を撮像して、前記サーバに送信し、
前記サーバが、前記携帯情報端末が送信した画像を受信して、前記商品の宛先として印刷装置に出力する
ことを特徴とする宛先入力方法。
【請求項６】
購入する商品の宛先を示す画像を撮像する処理と、
前記撮像した画像を表示する処理と、
前記表示した画像を前記宛先として使用するか否かを確認する処理と、
前記前記宛先として使用することを確認した画像を前記サーバに送信する処理と
を携帯情報端末に実行させるための宛先入力プログラム。
【請求項７】
購入する商品の宛先を示す画像を所定の携帯情報端末から受信する処理と、
前記受信した画像が前記宛先を示すか否かを確認する処理と、
前記前記宛先を示すことを確認した画像を前記商品の宛先として印刷装置に出力する処理と
をコンピュータに実行させるための宛先入力プログラム。
【発明の詳細な説明】
【技術分野】
【０００１】
本発明は、商品の宛先を示す画像を用いて携帯情報端末から宛先を入力する宛先入力システム、携帯情報端末、サーバ、宛先入力方法及び宛先入力プログラムに関する。
【背景技術】
【０００２】
従来、手作業で住所、氏名、電話番号等の宛先情報を配送先として記載する負荷を軽減するための技術が存在する。例えば、特許文献１には、伝票や帳票などの発行の際に、手作業によって住所や氏名および電話番号等の記入する代わりに、住所登録カードを読み取ることによって、入力処理を行うことが開示されている。この発明によれば、住民登録カードに顧客の情報を記録する磁気ストライプを設け、伝票や帳票等の発行の際に、コンピュータに接続した磁気カード読取装置により、磁気ストライプを読み取り、その読み取った顧客の情報をコンピュータに送って伝票や帳票等に印刷する。
このように構成することで、記入・登録処理を簡単にするとともに、処理時間を短縮することができる。
【０００３】
また特許文献２には、画像を送付する相手のアドレスを入力する手間を省いて画像を送付することが開示されている。この発明によれば、携帯電話機にカメラ部を設け、このカメラ部によって利用者を被写体として撮影し、その撮影画像をプリントする。このとき、携帯電話機の内部メモリに登録されているアドレス帳のデータを読み込み、プリントする画像の送付先の住所、氏名等の情報を封筒やポストカードの表面（撮影画像の印画面の裏面）に印刷する。
また、特許文献２には、この発明の変形例として、撮影画像の電子ファイルをネットワーク経由で送付することについても開示されている。この場合においても、同様に、送付相手の電子メールアドレスを携帯電話機のアドレス帳から読み込み、送付先情報の入力作業を簡略化する。
【特許文献１】特開平８−１２９６２５号公報
【特許文献２】特開２００３−７８７８２号公報
【発明の開示】
【発明が解決しようとする課題】
【０００４】
上述した発明においては、いずれもなんらかの方法により、テキスト情報として宛先（住所、氏名、電話番号等）を入力している。ところが、一般にテキスト情報を入力するためには、複数回のボタン押下作業を伴い、携帯情報端末のような小型の端末においては、この作業が極めて不便であるという問題点があった。
【０００５】
本発明は、このような事情を考慮してなされたものであり、その目的は、商品の宛先を示す画像を用いて携帯情報端末から宛先を入力することで、宛先入力の利便性を向上させることができる宛先入力システム、携帯情報端末、サーバ、宛先入力方法及び宛先入力プログラムを提供することにある。
【課題を解決するための手段】
【０００６】
この発明は上記の課題を解決すべくなされたもので、本発明は、購入する商品の宛先を出力する携帯情報端末と、前記携帯情報端末から前記商品の宛先を入力するサーバとから構成される宛先入力システムにおいて、前記携帯情報端末は、前記商品の宛先を示す画像を撮像する撮像手段と、前記撮像手段が撮像した画像を前記サーバに送信する送信手段とを具備し、前記サーバは、前記携帯情報端末が送信した画像を受信する受信手段と、前記受信手段が受信した画像を前記商品の宛先として印刷装置に出力する出力手段とを具備することを特徴とする。
【０００７】
また、本発明は、購入する商品の宛先を示す画像を撮像する撮像手段と、前記撮像手段が撮像した画像を表示する表示手段と、前記表示手段が表示した画像を前記宛先として使用するか否かを確認する確認手段と、前記宛先確認手段が前記宛先として使用することを確認した画像を前記サーバに送信する送信手段とを具備することを特徴とする。
【０００８】
また、本発明は、購入する商品の宛先を示す画像を所定の携帯情報端末から受信する受信手段と、前記受信手段が受信した画像が前記宛先を示すか否かを確認する宛先確認手段と、前記宛先確認手段が前記宛先を示すことを確認した画像を前記商品の宛先として印刷装置に出力する出力手段とを具備することを特徴とする。
【０００９】
また、本発明は、前記宛先確認手段は、前記受信手段が受信した画像からテキスト情報を抽出するテキスト情報抽出手段と、前記テキスト情報抽出手段が抽出したテキスト情報が前記宛先として登録されたテキスト情報を含むか否かを判定して、前記宛先を示すか否かを出力する宛先テキスト情報確認手段とを具備することを特徴とする。
【００１０】
また、本発明は、購入する商品の宛先を出力する携帯情報端末と、前記携帯情報端末から前記商品の宛先を入力するサーバとから構成される宛先入力システムにおいて、前記携帯情報端末が、前記商品の宛先を示す画像を撮像して、前記サーバに送信し、前記サーバが、前記携帯情報端末が送信した画像を受信して、前記商品の宛先として印刷装置に出力することを特徴とする。
【００１１】
また、本発明は、購入する商品の宛先を示す画像を撮像する処理と、前記撮像した画像を表示する処理と、前記表示した画像を前記宛先として使用するか否かを確認する処理と、前記前記宛先として使用することを確認した画像を前記サーバに送信する処理とを携帯情報端末に実行させるための宛先入力プログラムである。
【００１２】
また、本発明は、購入する商品の宛先を示す画像を所定の携帯情報端末から受信する処理と、前記受信した画像が前記宛先を示すか否かを確認する処理と、前記前記宛先を示すことを確認した画像を前記商品の宛先として印刷装置に出力する処理とをコンピュータに実行させるための宛先入力プログラムである。
【発明の効果】
【００１３】
以上説明したように、本発明によれば、購入する商品の宛先を出力する携帯情報端末と、携帯情報端末から商品の宛先を入力するサーバとから構成される宛先入力システムにおいて、携帯情報端末が商品の宛先を示す画像を撮像してサーバに送信し、サーバがこの画像を受信して商品の宛先として印刷装置に出力する。
したがって、携帯情報端末において、商品の宛先をテキスト情報として入力する負担を軽減し、利便性を高めることができる効果が得られる。
【００１４】
また、本発明によれば、携帯情報端末において、撮像した画像を表示し、表示した画像を宛先として使用するか否かを確認する。
したがって、より宛先として適当な画像を使用するため、入力負担を軽減するとともに、宛先の間違い、宛先不明となることを防ぐことができる効果が得られる。
【００１５】
また、本発明によれば、サーバにおいて、受信した画像からテキスト情報を抽出し、抽出したテキスト情報が宛先として登録されたテキスト情報を含むか否かを判定して、宛先を示すか否かを出力する。
したがって、予め宛先表示として必ず含まれるテキスト情報を登録しておけば、これを含まない画像を適当でないと判定し、再送要求を行うなどして、より宛先として適当な画像を取得し、宛先の間違い、宛先不明となることを防ぐことができる効果が得られる。
【発明を実施するための最良の形態】
【００１６】
以下、本発明を実施するための最良の形態について説明する。
【実施例１】
【００１７】
以下、図面を参照して、本発明の宛先入力システム１の一実施形態について説明する。図１は、本実施形態の宛先入力システム１の全体構成図である。
図１に示すように、本実施形態の宛先入力システム１は、携帯情報端末１０と、サーバ２０と、配送管理サーバ３０とをネットワーク４０を介して接続して構成される。ネットワーク４０は、インターネット等の有線通信網と、移動体通信網等の無線通信網から構成され、少なくとも携帯情報端末１０は、移動体通信網等の無線通信網を介して、サーバ２０とデータ通信を行う。
図２は、携帯情報端末１０、サーバ２０、配送管理サーバ３０の構成図である。
携帯情報端末１０は、購入する商品の宛先を示す画像を入力し、サーバ２０に出力する携帯電話端末、ＰＤＡ等の端末であって、カメラ部（撮像部）１００と、記憶部１０１と、表示部１０２と、入力部１０３と、画像確認処理部１０４と、送受信部１０５とから構成される。
【００１８】
カメラ部１００は、携帯情報端末１０のユーザがサーバ２０で管理される商品販売サイトから購入する商品の宛先を示す画像を撮像する処理を行う。
商品の宛先とは、携帯情報端末１０のユーザが選択した商品の宛先である住所、氏名、電話番号等であり、例えば、商品の宛先として、自分宛のハガキや名刺等に記載された事項を利用することが考えられる。この場合、カメラ部１００は、自分宛のハガキや名刺等に記載された事項を撮像対象とし、この記載事項を画像として取り込む。
記憶部１０１は、携帯情報端末１０に搭載されたメモリであって、カメラ部（撮像部）１００により撮像される画像を複数記憶する。このとき、カメラ部（撮像部）１００により撮像される画像は、それぞれ固有の識別情報（画像ＩＤ）を付与されて管理される。また、カメラ部（撮像部）１００により撮像された日時、撮像者情報等をさらに識別情報に紐付けておくようにしてもよい。
【００１９】
表示部１０２は、携帯情報端末１０の画面部（図示せず）に撮像部１００が撮像した画像を表示する処理を行う。具体的には、表示部１０２は、携帯情報端末１０のユーザが記憶部１０１に格納された複数の画像より入力部１０３を介して選択した画像を画面部に表示する。
入力部１０３は、ユーザが表示部１０２の表示に基づいて携帯情報端末１０に情報を入力するためのインターフェースであって、サーバ２０へのアクセス、購入商品確定、個人情報の入力、宛先画像選択等の入力処理を行う。
画像確認処理部１０４は、ユーザにより入力部１０３を介して宛先画像として選択され、表示部１０２により表示された画像を宛先として使用するか否かを確認する処理を行う。具体的には、この画像を宛先として使用することを再確認するメッセージを表示部１０２により表示し、入力部１０３を介して再確認の入力があるか否かを確認する。
送受信部１０５は、携帯情報端末１０とネットワーク４０のとのデータ送受信インターフェースであって、例えば、サーバ２０へ画像確認処理部１０４が宛先として使用することを確認した画像を送信する。
【００２０】
また、サーバ２０は、購入する商品の宛先を示す画像を携帯情報端末１０から入力し、商品宛先として使用可能か確認した後、印刷装置に出力する装置であって、図２に示すように、送受信部２０５と、記憶部２０１と、宛先確認部２１０と、出力部２２０とから構成される。
送受信部２０５は、送受信部１０５と同様に、サーバ２０とネットワーク４０のとのデータ送受信インターフェースであって、例えば、携帯情報端末１０のユーザが購入する商品の宛先を示す画像を携帯情報端末１０から受信する。
記憶部２０１は、サーバ２０のメモリであって、携帯情報端末１０から受信した画像を記憶する。
【００２１】
宛先確認部２２０は、図２に示すようにテキスト情報抽出部２１１と宛先テキスト情報確認部２１２とから構成され、送受信部２０５において受信され記憶部２０１に書き込まれた画像が宛先として必要な情報を示すか否かを確認する。
具体的には、テキスト情報抽出部２１１が、送受信部２０５において受信され記憶部２０１に書き込まれた画像を読み込んで、この画像からテンプレートマッチング等によりテキスト情報を抽出する。そして、テキスト情報抽出部２１１が抽出したこのテキスト情報について、宛先テキスト情報確認部２１２が、予め記憶部２０１等に宛先として登録されたテキスト情報を含むか否かを判定して、宛先を示すか否かを出力する。
宛先として登録するテキスト情報としては、例えば、郵便番号の記号・数字、住所（都道府県名、市区町村名等）、氏名等が考えられ、実装に応じて、これらテキスト情報のうち１又は複数のテキスト情報が、画像から抽出したこのテキスト情報についても含まれているか否かを判定する。そして、この判定結果により、宛先テキスト情報確認部２１２は、再送要求や印刷処理の命令を出力する。
出力部２２０は、宛先確認部２１０が宛先を示すことを確認した画像を商品の宛先として印刷装置３２０に出力する。本実施形態においては、サーバ２０とは別に商品の配送管理者の管理する配送管理サーバ３０を設ける場合を想定している。この場合、印刷装置３２０は、配送管理サーバ３０と接続される形で設けられる。すなわち、出力部２２０は、ネットワーク４０を介して接続された配送管理サーバ３０にこの画像を送信する。
【００２２】
配送管理サーバ３０は、送受信部（図示せず）を介して、サーバ２０より商品の宛先として使用する画像を受信し、印刷装置３２０に出力する装置である。
印刷装置３２０は、サーバ２０から入力する画像を商品の宛先として印刷する。
なお、本実施形態においては、上述したように、商品販売と配送管理とを別サーバで実現する場合の構成例について示すが、本発明はこれに限られるものではなく、サーバ２０と、配送管理サーバ３０とを同一装置内に構成するようにしてもよい。
【００２３】
次に、図面を参照して、本実施形態の宛先入力システム１の動作について説明する。図３は、本実施形態の宛先入力システム１における宛先画像入力から印刷までの処理の過程を示すフローチャートである。
今、携帯情報端末１０の入力部１０３において、サーバ２０上で管理される商品販売サイトのＵＲＬが入力されると、携帯情報端末１０は、この商品販売サイトの商品情報の要求をサーバ２０に送信する（ステップＳ１）。
サーバ２０は、携帯情報端末１０より商品情報要求を受信すると、商品情報を返信する（ステップＳ２）。
返信された商品情報を受信すると、携帯情報端末１０は、これを表示部１０２において表示する（例えば、図４を参照）。そして、購入する商品について、入力部１０３において購入確定が選択されると、携帯情報端末１０は、サーバ２０に選択された商品の購入確定通知を送信する（ステップＳ３）。
【００２４】
サーバ２０は、携帯情報端末１０より商品の購入確定通知を受信すると、この商品の代金の支払方法（個人情報）や配送先（宛先）等の情報を携帯情報端末１０に要求する。
本実施形態においては、サーバ２０は、まず代金の支払方法、カード番号、有効期限、暗証番号等の個人情報を携帯情報端末１０に対して要求する（ステップＳ４）。携帯情報端末１０においては、要求された個人情報が入力されると（例えば、図５を参照）、これを返信する（ステップＳ５）。
次に、サーバ２０は、この商品の配送先を携帯情報端末１０に要求する（ステップＳ６）。この要求を受信すると、携帯情報端末１０は、まず記憶部１０１に格納された複数の宛先画像を読み出して（ステップＳ７）、画面部に表示する（ステップＳ８）。
そして、入力部１０３において、画面部に表示された宛先を示す複数の画像より１の宛先画像（例えば、図６を参照）の選択結果を入力する（ステップＳ９）。入力部１０３において宛先画像の選択結果が入力されると、画像確認処理部１０４は、この選択された宛先画像が画面部に表示された状態で、この宛先画像を購入する商品の宛先として使用することを再確認するメッセージを表示部１０２により表示し、入力部１０３を介して再確認の入力があるか否かを確認する（ステップＳ１０）。再確認の入力があった場合（ステップＳ１０でＹｅｓ）、携帯情報端末１０は、送受信部１０５を介して、サーバ２０にこの宛先画像を送信する（ステップＳ１１）。
一方、この画像の再確認が入力されなかった場合（ステップＳ１０でＮｏ）、携帯情報端末１０は、再度ステップＳ９、Ｓ１０を繰り返し実行する。
【００２５】
サーバ２０において、宛先画像を受信すると、一旦記憶部２０１に書き込まれた後、宛先確認部２１０が、この宛先画像について宛先として使用可能か否かを確認する処理を実行する。すなわち、テキスト抽出処理部２１１は、受信した宛先画像を入力して、この宛先画像からテキスト情報を抽出し、宛先テキスト情報確認部２１２に出力する。
宛先テキスト情報確認部２１２は、テキスト抽出処理部２１１が抽出したテキスト情報について、予め記憶部２０１に宛先として登録されたテキスト情報を含むか否かを判定して、宛先を示すか否かを出力する。
【００２６】
テキスト抽出処理部２１１が抽出したテキスト情報に、予め登録されたテキスト情報が含まれている場合（ステップＳ１３でＹｅｓ）、宛先テキスト情報確認部２１２は、この宛先画像について宛先として使用可能と判定し、出力部２２０を介して、配送管理サーバ３０に出力する（ステップＳ１４）。
一方、テキスト抽出処理部２１１が抽出したテキスト情報に、予め登録されたテキスト情報が含まれていない場合（ステップＳ１３でＮｏ）、宛先テキスト情報確認部２１２は、この宛先画像について宛先として使用不可能と判定し、ステップＳ６に戻って、携帯情報端末１０に対して宛先画像の再送要求を出力する。携帯情報端末１０は、再送要求を受けると、Ｓ７〜Ｓ１１と同様に再度宛先画像を送信する処理を実行する。
一方、配送管理サーバ３０は、この商品の宛先として宛先画像を受信すると、印刷装置３２０を介して宛先画像を印刷することで（ステップＳ１５）、商品の発送を行う。
【００２７】
なお、本実施携帯の宛先入力システム１においては、カメラ部１００における宛先画像の撮像タイミングについては特に限定しなかったが、携帯情報端末１０からサーバ２０にアクセスする以前に宛先画像を取り込んでおく、あるいは、配送先情報の要求時において、新規に宛先画像を所定のハガキや名刺等から取り込むようにすることができる。
【００２８】
以上説明したように、本実施形態の宛先入力システム１によれば、携帯情報端末１０が商品の宛先を示す画像を撮像してサーバ２０に送信し、サーバ２０がこの画像を受信して商品の宛先として印刷装置３２０に出力する。
したがって、携帯情報端末において、商品の宛先をテキスト情報として入力する負担を軽減し、宛先入力の利便性を高めることができる効果が得られる。
【００２９】
上述の携帯情報端末１０、サーバ２０、配送管理サーバ３０は、内部に、コンピュータシステムを有している。
そして、上述した宛先画像入力から印刷までの一連の処理の過程は、プログラムの形式でコンピュータ読み取り可能な記録媒体に記憶されており、このプログラムをコンピュータが読み出して実行することによって、上記処理が行われる。
すなわち、携帯情報端末１０、サーバ２０、配送管理サーバ３０における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがこのプログラムを実行するようにしても良い。
【図面の簡単な説明】
【００３０】
【図１】宛先入力システム１の全体構成図。
【図２】携帯情報端末１０、サーバ２０、配送管理サーバ３０の構成図。
【図３】宛先画像入力から印刷までの処理の過程を示すフローチャート。
【図４】商品購入確定の説明図。
【図５】個人情報入力の説明図。
【図６】宛先画像送信の説明図。
【符号の説明】
【００３１】
１…宛先入力システム
１０…携帯情報端末
２０…サーバ
３０…配送管理サーバ
１００…カメラ部（撮像手段）
１０１、２０１…記憶部
１０２…表示部
１０３…入力部
１０４…画像確認処理部
１０５、２０５…送受信部
２１０…宛先確認部
２１１…テキスト抽出処理部
２１２…宛先テキスト情報確認部
２２０…出力部
３２０…印刷装置
【図１】
2005134999.tif 000003
【図２】
2005134999.tif 000004
【図３】
2005134999.tif 000005
【図４】
2005134999.tif 000006
【図５】
2005134999.tif 000007
【図６】
2005134999.tif 000008